(57)【要約】【課題】  ボルト・ナットの締め付け作業や緩め作業時に、ウォームの回転をストッパで阻止することが可能なモンキーレンチの提供。【解決手段】  モンキーレンチＭは、固定あご１０と握り柄部１１を有するレンチ本体１と、固定あご１０に対して接離可能な可動あご２０を有するラック２と、ラック２と噛み合うウォーム３とを備える。レンチ本体１の片側にストッパ４を配設する。レンチ本体１の反対側に操作部材５を配設する。ストッパ４をレンチカバー６の第１のカバー部材６０を介して握り柄部１１のレンチ本体１寄りの片側に取付ける。操作部材５をレンチカバー６の第２のカバー部材７０を介して握り柄部１１のレンチ本体１寄りの反対側に取付ける。ストッパ４の先端がウォーム３のねじ山３０の頂部に当接してウォーム３の回転を阻止できる。【選択図】        図１
2007030046.tif 000002
【特許請求の範囲】
【請求項１】
先端に固定あごを有すると共に、前記固定あごと反対方向に向って延出した握り柄部を有するレンチ本体と、前記レンチ本体の先端に摺動自在に配設され、前記固定あごに対して接離可能な可動あごを有するラックと、前記レンチ本体に設けた開口する窓孔に臨んで回動自在に配設され、前記固定あごと前記可動あごとの間隔を調節するための前記ラックと噛み合うウォームとを備えたモンキーレンチにおいて、
前記レンチ本体の片側に前記可動あごを開く方向への前記ウォームの回転を阻止する弾性変形可能なストッパを配設すると共に、前記レンチ本体の反対側に前記ストッパを前記ウォームと離間する方向に移動させる押圧操作部を有する弾性変形可能な操作部材を配設し、前記握り柄部の前記レンチ本体寄りに周囲を覆うようにレンチカバーを配設し、前記ストッパに前記ウォームのねじ山に当接する当接部を略接線方向に沿うように形成し、前記操作部材に前記レンチ本体の前記窓孔を貫通して前記ウォームと前記ストッパとの係合を解除する係合解除片を形成し、前記操作部材の係合解除片の端縁が前記ストッパの一面に当接され、前記レンチカバーは、二つに分割されており、前記握り柄部の前記レンチ本体寄りの片側を覆う第１のカバー部材と前記握り柄部の前記レンチ本体寄りの反対側を覆う第２のカバー部材とからなり、前記レンチカバーの前記第１のカバー部材に前記ストッパを装着するストッパ装着部を形成し、前記レンチカバーの前記第２のカバー部材に前記操作部材を装着する操作部材装着部を形成し、前記レンチカバーの前記第１のカバー部材の前記ストッパ装着部に前記ストッパの端部を装着し、前記レンチカバーの前記第２のカバー部材の前記操作部材装着部に前記操作部材の端部を装着し、前記レンチカバーの前記第１のカバー部材及び前記第２のカバー部材の一側をヒンジ部を介して開閉自在に結合し、前記レンチカバーの前記第１のカバー部材及び前記第２のカバー部材の他側を着脱自在に結合したことを特徴とするモンキーレンチ。
【請求項２】
上記レンチカバーの上記第１のカバー部材と上記第２のカバー部材は、凹凸係合する凹凸係合部を有しており、前記第１のカバー部材と前記第２のカバー部材とが前記凹凸係合部を凹凸係合させることにより互いに結合され、前記第１のカバー部材及び前記第２のカバー部材は、上記握り柄部の上記レンチ本体寄りの定位置に固定されている請求項１に記載のモンキーレンチ。
【請求項３】
上記レンチカバーの上記第１のカバー部材及び上記第２のカバー部材は、上記握り柄部の上記レンチ本体寄りの両側に係合する係合部を有している請求項１または２に記載のモンキーレンチ。
【請求項４】
上記レンチカバーの上記第１のカバー部材及び上記第２のカバー部材のいずれか一方は、側壁の外側に係合する弾性変形可能な係合片を有している請求項１乃至３に記載のモンキーレンチ。
【発明の詳細な説明】
【技術分野】
【０００１】
本発明は、ボルト・ナットの締め付け作業や緩め作業に用いる手工具であるモンキーレンチの改良に関し、特に、固定あごと可動あごの間隔を調整する調節ねじであるウォームを回転しないようにするストッパを備えたモンキーレンチに関するものである。
【背景技術】
【０００２】
従来のボルトとナットの締結に使用される手工具であるモンキーレンチは、先端に固定あごを有するレンチ本体と、レンチ本体の先端に摺動自在に配設された固定あごに対して接離可能な可動あごを有するラックと、レンチ本体に設けた開口する窓孔に臨んで回動自在に配設された固定あごと可動あごとの間隔を調節するためのラックと噛み合うウォームとを備えている。
【０００３】
従来のモンキーレンチは、ウォームを回転させることにより、ラックをウォームの回転に伴ってレンチ本体に対して摺動させ、ラックの可動あごをレンチ本体の固定あごに対して移動させることにより、レンチ本体の固定あごとラックの可動あごとの間隔をボルトの頭部の互いに平行な二面間の距離である二面幅やナットの互いに平行な二面間の距離である二面幅に合わせて調節し、種々のサイズのボルトとナットの締結に使用することができる。
【０００４】
また、ウォームに当接するゴムを有するストッパを設けたロック機能付きモンキーレンチが特許文献１に開示されている。
【特許文献１】特開平５−１７７５５８号公報
【発明の開示】
【発明が解決しようとする課題】
【０００５】
しかしながら、特許文献１に開示されたロック機能付きモンキーレンチでは、ストッパをスプリングの付勢力によりウォームに向って強く押し付ける必要があり、レンチ本体にストッパやストッパをウォームに向って付勢するスプリングを嵌め込むための複雑な加工を施さなければならず、ストッパ及びスプリングのレンチ本体への取付け作業も手数を要して面倒であり、しかも、製造コストが高価であった。
【０００６】
そこで、本発明は、上記の課題に鑑み、ボルト・ナットの締め付け作業や緩め作業を行うに際し、ストッパの先端がウォームのねじ山に当接するので、ウォームの可動あごを開く方向への回転をストッパにより阻止することができ、ストッパをウォームに向って強く押し付ける必要がなく、ウォームが自由に回転することがないので、ラックの可動あごがラックの可動あごに対して離間する方向に移動することもなく、レンチ本体の固定あごとラックの可動あごとの間隔がボルトの頭部の二面幅やナットの二面幅よりも大きくならないので、ボルトの頭部の角部やナットの角部をレンチ本体の固定あご及びラックの可動あごにより潰して傷めてしまうおそれもなく、ボルト・ナットの締め付け作業や緩め作業を常に安定した状態で行うことができ、操作部材の押圧操作部をストッパの弾性力に抗しながら指で押圧するのみで、操作部材がストッパをウォームと離間する方向に移動させるので、ウォームとストッパとの係合を操作部材の係合解除片により解除することができ、ストッパ及び操作部材がレンチカバーの第１のカバー部材及び第２のカバー部材と共にレンチ本体に取付けられるので、ストッパ及び操作部材のレンチ本体への取付けを簡単に行うことができ、レンチ本体にストッパなどを嵌め込むための複雑な加工を施さずにすみ、レンチカバーの第１のカバー部材及び第２のカバー部材がレンチ本体の握り柄部の幅方向にガタ付いたり或いは握り柄部の長手方向に動いたりすることもなく、製造コストが安価なモンキーレンチを提供することを目的とする。
【課題を解決するための手段】
【０００７】
本発明のモンキーレンチは、先端に固定あごを有すると共に、前記固定あごと反対方向に向って延出した握り柄部を有するレンチ本体と、前記レンチ本体の先端に摺動自在に配設され、前記固定あごに対して接離可能な可動あごを有するラックと、前記レンチ本体に設けた開口する窓孔に臨んで回動自在に配設され、前記固定あごと前記可動あごとの間隔を調節するための前記ラックと噛み合うウォームとを備えたモンキーレンチにおいて、前記レンチ本体の片側に前記可動あごを開く方向への前記ウォームの回転を阻止する弾性変形可能なストッパを配設すると共に、前記レンチ本体の反対側に前記ストッパを前記ウォームと離間する方向に移動させる押圧操作部を有する弾性変形可能な操作部材を配設し、前記握り柄部の前記レンチ本体寄りに周囲を覆うようにレンチカバーを配設し、前記ストッパに前記ウォームのねじ山に当接する当接部を略接線方向に沿うように形成し、前記操作部材に前記レンチ本体の前記窓孔を貫通して前記ウォームと前記ストッパとの係合を解除する係合解除片を形成し、前記操作部材の係合解除片の端縁が前記ストッパの一面に当接され、前記レンチカバーが、二つに分割されており、前記握り柄部の前記レンチ本体寄りの片側を覆う第１のカバー部材と前記握り柄部の前記レンチ本体寄りの反対側を覆う第２のカバー部材とからなり、前記レンチカバーの前記第１のカバー部材に前記ストッパを装着するストッパ装着部を形成し、前記レンチカバーの前記第２のカバー部材に前記操作部材を装着する操作部材装着部を形成し、前記レンチカバーの前記第１のカバー部材の前記ストッパ装着部に前記ストッパの端部を装着し、前記レンチカバーの前記第２のカバー部材の前記操作部材装着部に前記操作部材の端部を装着し、前記レンチカバーの前記第１のカバー部材及び前記第２のカバー部材の一側をヒンジ部を介して開閉自在に結合し、前記レンチカバーの前記第１のカバー部材及び前記第２のカバー部材の他側を着脱自在に結合したことを特徴とする構成を有するものである。
【０００８】
本発明のモンキーレンチは、上記レンチカバーの上記第１のカバー部材と上記第２のカバー部材が、凹凸係合する凹凸係合部を有しており、前記第１のカバー部材と前記第２のカバー部材とが前記凹凸係合部を凹凸係合させることにより互いに結合され、前記第１のカバー部材及び前記第２のカバー部材が、上記握り柄部の上記レンチ本体寄りの定位置に固定されている。
【０００９】
本発明のモンキーレンチは、上記レンチカバーの上記第１のカバー部材及び上記第２のカバー部材が、上記握り柄部の上記レンチ本体寄りの両側に係合する係合部を有している。
【００１０】
本発明のモンキーレンチは、上記レンチカバーの上記第１のカバー部材及び上記第２のカバー部材のいずれか一方が、側壁の外側に係合する弾性変形可能な係合片を有している。
【発明の効果】
【００１１】
以上に述べたように、本発明によれば、ボルト・ナットの締め付け作業や緩め作業を行うに際し、ストッパの先端がウォームのねじ山に当接するので、ウォームの可動あごを開く方向への回転をストッパにより阻止することができ、ストッパをウォームに向って強く押し付ける必要がなく、ウォームが自由に回転することがないので、ラックの可動あごがラックの可動あごに対して離間する方向に移動することもなく、レンチ本体の固定あごとラックの可動あごとの間隔がボルトの頭部の二面幅やナットの二面幅よりも大きくならないので、ボルトの頭部の角部やナットの角部をレンチ本体の固定あご及びラックの可動あごにより潰して傷めてしまうおそれもなく、ボルト・ナットの締め付け作業や緩め作業を常に安定した状態で行うことができ、操作部材の押圧操作部をストッパの弾性力に抗しながら指で押圧するのみで、操作部材がストッパをウォームと離間する方向に移動させるので、ウォームとストッパとの係合を操作部材の係合解除片により解除することができ、ストッパ及び操作部材がレンチカバーの第１のカバー部材及び第２のカバー部材と共にレンチ本体に取付けられるので、ストッパ及び操作部材のレンチ本体への取付けを簡単に行うことができ、レンチ本体にストッパなどを嵌め込むための複雑な加工を施さずにすみ、レンチカバーの第１のカバー部材及び第２のカバー部材がレンチ本体の握り柄部の幅方向にガタ付いたり或いは握り柄部の長手方向に動いたりすることもなく、製造コストが安価なモンキーレンチを得ることができる。
【発明を実施するための最良の形態】
【００１２】
以下、本発明を実施するための最良の形態を図面を参照して詳細に説明する。
【実施例】
【００１３】
本発明のモンキーレンチＭは、先端に固定あご１０を有すると共に、固定あご１０と反対方向に向って延出した握り柄部１１を有するレンチ本体１と、レンチ本体１の先端に摺動自在に配設され、固定あご１０に対して接離可能な可動あご２０を有するラック２と、レンチ本体１に設けた開口する窓孔１２に臨んで回動自在に配設され、固定あご１０と可動あご２０との間隔を調節するためのラック２と噛み合うウォーム３とを備えている。
【００１４】
本発明のモンキーレンチＭは、レンチ本体１の片側に可動あご２０を開く方向へのウォーム３の回転を阻止する弾性変形可能なストッパ４を配設している。
【００１５】
本発明のモンキーレンチＭは、レンチ本体１の反対側にストッパ４をウォーム３と離間する方向に移動させる押圧操作部５０を有する弾性変形可能な操作部材５を配設している。
【００１６】
本発明のモンキーレンチＭは、握り柄部１１のレンチ本体１寄りに周囲を覆うように合成樹脂製のレンチカバー６を配設している。
【００１７】
本発明のモンキーレンチＭは、ストッパ４にウォーム３のねじ山３０に当接する当接部４０を略接線方向に沿うように形成している。
【００１８】
本発明のモンキーレンチＭは、操作部材５にレンチ本体１の窓孔１２を貫通してウォーム３とストッパ４との係合を解除する係合解除片５１を形成している。
【００１９】
本発明のモンキーレンチＭは、操作部材５の係合解除片５１の端縁がストッパ４の一面に当接されている。
【００２０】
本発明のモンキーレンチＭは、レンチカバー６が、二つに分割されており、握り柄部１１のレンチ本体１寄りの片側を覆う第１のカバー部材６０と握り柄部１１のレンチ本体１寄りの反対側を覆う第２のカバー部材７０とからなる。
【００２１】
本発明のモンキーレンチＭは、レンチカバー６の第１のカバー部材６０にストッパ４を装着するストッパ装着部としてストッパ挿入孔６８を形成している。
【００２２】
本発明のモンキーレンチＭは、レンチカバー６の第２のカバー部材７０に操作部材５を装着する操作部材装着部として操作部材挿入孔７９を形成している。
【００２３】
本発明のモンキーレンチＭは、レンチカバー６の第１のカバー部材６０のストッパ挿入孔６８にストッパ４の端部を挿入することにより装着している。
【００２４】
本発明のモンキーレンチＭは、レンチカバー６の第２のカバー部材７０の操作部材挿入孔７９に操作部材５の端部を挿入することにより装着している。
【００２５】
本発明のモンキーレンチＭは、レンチカバー６の第１のカバー部材６０及び第２のカバー部材７０の一側をヒンジ部（図示せず）を介して開閉自在に結合している。
【００２６】
本発明のモンキーレンチＭは、レンチカバー６の第１のカバー部材６０及び第２のカバー部材７０の他側を着脱自在に結合している。
【００２７】
本発明のモンキーレンチＭは、レンチカバー６の第１のカバー部材６０と第２のカバー部材７０が、凹凸係合する凹凸係合部となる係合突起６２及び係合孔７８を有しており、第１のカバー部材６０と第２のカバー部材７０とが係合突起６２と係合孔７８を凹凸係合させることにより互いに結合され、第１のカバー部材６０及び第２のカバー部材７０が、握り柄部１１のレンチ本体１寄りの定位置に固定されている。
【００２８】
本発明のモンキーレンチＭは、レンチカバー６の第１のカバー部材６０及び第２のカバー部材７０が、握り柄部１１のレンチ本体１寄りの両側に係合する係合部６１，７１を有している。
【００２９】
本発明のモンキーレンチＭは、レンチカバー６の第２のカバー部材７０が、第１のカバー部材６０の側壁６６ａの外側に係合する弾性変形可能な係合片７２を有している。
【００３０】
以下、本発明の実施例に係るモンキーレンチについて、図面を参照しながら詳細に説明する。
図１は、本発明の実施例に係るモンキーレンチの斜視図、図２は、本発明の実施例に係るモンキーレンチを斜め下方から見た斜視図、図３は、図１の要部拡大斜視図、図４は、図２の要部拡大斜視図、図５は、本発明の実施例に係るモンキーレンチの構成を示す要部切断平面図、図６は、図３の要部側断面図、図７は、レンチカバーの構造を示す斜視図、図８は、レンチカバーのモンキーレンチへの取付け状態を示す要部平面図、図９は、レンチカバーのモンキーレンチへの取付け状態を示す要部底面図である。
モンキーレンチＭは、図１及び図２に示すように、レンチ本体１を有している。
【００３１】
モンキーレンチＭのレンチ本体１の先端の片側には、図３及び図４に示すように、突出した固定あご１０が一体に形成され、レンチ本体１の先端部にはラック２を案内するガイド溝１３が形成されている。
【００３２】
モンキーレンチＭのレンチ本体１には、固定あご１０と反対方向に向って延出した握り柄部１１が形成されている。
【００３３】
モンキーレンチＭのレンチ本体１の先端付近には、図１及び図３に示すように、ウォーム３を配置するための開口した窓孔１２が設けられ、レンチ本体１の窓孔１２の一方の内側面には、図５に示すように、開口したねじ穴１４が設けられ、レンチ本体１の他方の外側面と窓孔１２の他方の内側面との間にはねじ穴１４と同一中心軸線上に沿って支軸８を挿通するための挿通孔１５が貫通して設けられている。
【００３４】
モンキーレンチＭのレンチ本体１のガイド溝１３には、図５に示すように、ラック２が摺動自在に配設され、ラック２にはレンチ本体１の固定あご１０に接離自在の可動あご２０が一体に形成されている。
【００３５】
モンキーレンチＭのレンチ本体１の窓孔１２には、図１に示すように、ラック２と噛み合うウォーム３が回動自在に配置され、ウォーム３のねじ山３０の頂部には多数の刻み目が形成され、図５に示すように、ウォーム３は支軸８を介してレンチ本体１の窓孔１２に取付けられている。
【００３６】
支軸８の先端には、図５に示すように、モンキーレンチＭのレンチ本体１のねじ穴１４に螺合するおねじ部８０が形成され、支軸８の基端の端面にはおねじ部８０をレンチ本体１のねじ穴１４にドライバーなどの手工具でねじ込む際に利用するための凹溝８１が形成されている。
【００３７】
モンキーレンチＭのレンチ本体１の挿通孔１５及びウォーム３には、図５に示すように、支軸８が挿通され、レンチ本体１のねじ穴１４には支軸８のおねじ部８０が螺着され、レンチ本体１の挿通孔１５には支軸８の基端部が嵌合され、支軸８はウォーム３を貫通して回動自在に支持している。
【００３８】
モンキーレンチＭのレンチ本体１の窓孔１２と握り柄部１１との間の片側の近傍には、図１及び図３に示すように、ウォーム３の回転を阻止する板状のストッパ４が配置され、ストッパ４の先端部には、図６に示すように、ウォーム３のねじ山３０の頂部に当接する当接部４０が形成され、ストッパ４の当接部４０はウォーム３に対して略接線方向に沿うように屈曲されている。
【００３９】
モンキーレンチＭのレンチ本体１の窓孔１２と握り柄部１１との間の反対側の近傍には、図２に示すように、ストッパ４をウォーム３と離間する方向に移動させるための板状の操作部材５が配置され、操作部材５の先端寄りには、図４に示すように、両側方に向って膨出した押圧操作を行うための押圧操作部５０が形成され、操作部材５の先端には、図６に示すように、ウォーム３とストッパ４との係合を解除するためのストッパ４に向って略直角に折曲した係合解除片５１が形成され、操作部材５の係合解除片５１の端縁がモンキーレンチＭのレンチ本体１の窓孔１２を貫通してストッパ４の先端寄りの内側面に当接されている。
【００４０】
モンキーレンチＭの握り柄部１１のレンチ本体１寄りの片側には、図１及び図３に示すように、ストッパ４を取付けるための合成樹脂製のレンチカバー６の第１のカバー部材６０が配設され、レンチカバー６の第１のカバー部材６０は、モンキーレンチＭの握り柄部１１のレンチ本体１寄りの片側の面を覆うカバー部材本体６３を有している。
【００４１】
レンチカバー６の第１のカバー部材６０のカバー部材本体６３の一端寄りの中間付近には、図１及び図３に示すように、ストッパ４を挿入するストッパ挿入孔６８が形成され、カバー部材本体６３の一端面には、図７に示すように、ストッパ挿入孔６８にストッパ４を挿入するための開口するストッパ挿入口６４が形成され、カバー部材本体６３のストッパ挿入孔６８に相当する箇所には外方に向って突出した補強用凸部６５が形成されている。
【００４２】
レンチカバー６の第１のカバー部材６０のカバー部材本体６３の両側には、図７に示すように、第２のカバー部材７０に向って張り出した互いに対向する一対の側壁６６ａ，６６ｂが形成され、カバー部材本体６３の一方の側壁６６ａには適当な箇所に外方に向って突出した位置決め用の複数の係合突起６２が一体に形成され、係合突起６２の一部には傾斜した傾斜面６７が形成され、第１のカバー部材６０の側壁６６ａ，６６ｂの内側にはモンキーレンチＭの握り柄部１１のレンチ本体１寄りの両側に係合する複数の係合部６１が形成されている。
【００４３】
レンチカバー６の第１のカバー部材６０のカバー部材本体６３のストッパ挿入孔６８には、図６に示すように、ストッパ挿入口６４よりストッパ４の基端部が挿入され、ストッパ４は第１のカバー部材６０のカバー部材本体６３の一端からウォーム３に向って突出されている。
【００４４】
なお、ストッパ４は、レンチカバー６の第１のカバー部材６０のカバー部材本体６３のストッパ挿入孔６８より抜け外れないように接着剤などにより固着しても良い。
【００４５】
モンキーレンチＭの握り柄部１１のレンチ本体１寄りの反対側には、図２及び図４に示すように、操作部材５を取付けるための合成樹脂製のレンチカバー６の第２のカバー部材７０が配設され、レンチカバー６の第２のカバー部材７０は、モンキーレンチＭの握り柄部１１のレンチ本体１寄りの反対側の面を覆うカバー部材本体７３を有している。
【００４６】
レンチカバー６の第２のカバー部材７０のカバー部材本体７３の一端部には、図４に示すように、モンキーレンチＭのレンチ本体１の窓孔１２に向って開口する凹部７４が形成され、カバー部材本体７３の一端寄りの中間付近には操作部材５を挿入する操作部材挿入孔７９が形成され、カバー部材本体７３の凹部７４の内端面には、図７に示すように、操作部材挿入孔７９に操作部材５を挿入するための開口する操作部材挿入口７５が形成され、カバー部材本体７３の操作部材挿入孔７９に相当する箇所には外方に向って突出した補強用凸部７６が形成されている。
【００４７】
レンチカバー６の第２のカバー部材７０のカバー部材本体７３の両側には、図７に示すように、第１のカバー部材６０に向って張り出した互いに対向する一対の側壁７７ａ，７７ｂが形成され、カバー部材本体７３の一方の側壁７７ａには、図８及び図９に示すように、補強用凸部７６と反対方向に向って張り出した第１のカバー部材６０の一方の側壁６６ａの外側に係合する弾性変形可能な係合片７２が形成され、係合片７２には第１のカバー部材６０の複数の係合突起６２と係合する複数の係合孔７８が設けられ、第２のカバー部材７０の側壁７７ａ，７７ｂの内側にはモンキーレンチＭの握り柄部１１のレンチ本体１寄りの両側に係合する複数の係合部７１が形成されている。
【００４８】
レンチカバー６の第２のカバー部材７０のカバー部材本体７３の操作部材挿入孔７９には、図６に示すように、操作部材挿入口７５より操作部材５の基端部が挿入され、操作部材５は第２のカバー部材７０のカバー部材本体７３の凹部７４の内端からウォーム３に向って突出されている。
【００４９】
なお、操作部材５は、レンチカバー６の第２のカバー部材７０のカバー部材本体７３の操作部材挿入孔７９より抜け外れないように接着剤などにより固着しても良い。
【００５０】
レンチカバー６の第１のカバー部材６０と第２のカバー部材７０とは、プラスチック等の合成樹脂材料により一体成形されている。
【００５１】
レンチカバー６は、二つに分割された合成樹脂製の第１のカバー部材６０の側壁６６ｂと合成樹脂製の第２のカバー部材７０の側壁７７ｂが図示しないヒンジ部を介して一体に結合され、レンチカバー６の第１のカバー部材６０と第２のカバー部材７０とは、ヒンジ部により開閉可能となっている。
【００５２】
以下、ストッパ及び操作部材のモンキーレンチに対する取付け方法について説明する。
まず、ストッパ４の基端部をレンチカバー６の第１のカバー部材６０のカバー部材本体６３のストッパ挿入孔６８に挿入し、ストッパ４をレンチカバー６の第１のカバー部材６０のカバー部材本体６３に装着する。
【００５３】
次いで、操作部材５の基端部をレンチカバー６の第２のカバー部材７０のカバー部材本体７３の操作部材挿入孔７９に挿入し、操作部材５をレンチカバー６の第２のカバー部材７０のカバー部材本体７３に装着する。
【００５４】
次いで、レンチカバー６の第１のカバー部材６０と第２のカバー部材７０とを開いた状態とした後、レンチカバー６の第２のカバー部材７０のカバー部材本体７３がモンキーレンチＭの握り柄部１１のレンチ本体１寄りの反対側の面を覆うようにして、操作部材５の係合解除片５１をモンキーレンチＭのレンチ本体１の窓孔１２に差込むと共に、レンチカバー６の第２のカバー部材７０をモンキーレンチＭの握り柄部１１のレンチ本体１寄りの反対側に手で押え付けておく。
【００５５】
次いで、レンチカバー６の第１のカバー部材６０のカバー部材本体６３がモンキーレンチＭの握り柄部１１のレンチ本体１寄りの片側の面を覆うようにして、レンチカバー６の第１のカバー部材６０を第２のカバー部材７０に向って手で押し付けながら閉じる。
【００５６】
レンチカバー６の第１のカバー部材６０と第２のカバー部材７０とを閉じると、レンチカバー６の第２のカバー部材７０の係合片７２が第１のカバー部材６０の複数の係合突起６２の傾斜面６７に係合しながら弾性変形する。
【００５７】
そして、レンチカバー６の第１のカバー部材６０の複数の係合突起６２が第２のカバー部材７０の係合片７２の複数の係合孔７８に達すると、第１のカバー部材６０の複数の係合突起６２は、図７に示すように、第２のカバー部材７０の係合片７２の複数の係合孔７８に入り込んで係合されると同時に、レンチカバー６の第２のカバー部材７０の係合片７２が弾性力により元の形状に戻る。
【００５８】
レンチカバー６の第２のカバー部材７０の係合片７２が元の形状に戻ると、図８及び図９に示すように、レンチカバー６の第２のカバー部材７０の係合片７２が第１のカバー部材６０の側壁６６ａの外側に係合され、図７に示すように、レンチカバー６の第１のカバー部材６０の側壁６６ａ，６６ｂと第２のカバー部材７０の側壁７７ａ，７７ｂとが突き合わさせ、レンチカバー６の第１のカバー部材６０と第２のカバー部材７０とが互いに閉じた状態に結合され、図１及び図２に示すように、レンチカバー６の第１のカバー部材６０及び第２のカバー部材７０がモンキーレンチＭの握り柄部１１のレンチ本体１寄りの定位置に周囲を覆うように固定される。
【００５９】
レンチカバー６の第１のカバー部材６０及び第２のカバー部材７０をモンキーレンチＭの握り柄部１１のレンチ本体１寄りの定位置に固定すると、ストッパ４がレンチカバー６の第１のカバー部材６０を介してモンキーレンチＭのレンチ本体１の片側の所定位置に取り付けられると共に、操作部材５がレンチカバー６の第２のカバー部材７０を介してモンキーレンチＭのレンチ本体１の反対側の所定位置に取り付けられ、ストッパ４の当接部４０の先端がモンキーレンチＭのウォーム３のねじ山３０の頂部に当接され、操作部材５の係合解除片５１の端縁がモンキーレンチＭのレンチ本体１の窓孔１２を貫通してストッパ４の当接部４０の内側面に当接され、ストッパ４はモンキーレンチＭのウォーム３の可動あご２０を開く方向への回転を阻止した状態となっている。
【００６０】
また、図８及び図９に示すように、レンチカバー６の第１のカバー部材６０の側壁６６ａ，６６ｂの複数の係合部６１及び第２のカバー部材７０の側壁７７ａ，７７ｂの複数の係合部７１がモンキーレンチＭの握り柄部１１のレンチ本体１寄りの両側の一部に係合されるので、レンチカバー６の第１のカバー部材６０及び第２のカバー部材７０は、モンキーレンチＭの握り柄部１１の幅方向にガタ付いたり、或いはモンキーレンチＭの握り柄部１１の長手方向に動いたりするおそれがない。
【００６１】
次に、本発明の実施例に係るモンキーレンチの使用方法について説明する。
ボルト・ナットのモンキーレンチＭによる締め付け作業或いは緩め作業時において、モンキーレンチＭのレンチ本体１の固定あご１０とラック２の可動あご２０との間隔が広くなる方向に調節する場合は、まず、操作部材５の押圧操作部５０をストッパ４の弾性力に抗しながらモンキーレンチＭのレンチ本体１の反対側の面に向って指で押圧すると、操作部材５がストッパ４をモンキーレンチＭのウォーム３と離間する方向に移動させ、ストッパ４の当接部４０の先端がモンキーレンチＭのウォーム３のねじ山３０の頂部より離脱し、操作部材５の係合解除片５１がウォーム３とストッパ４との係合を解除し、モンキーレンチＭのウォーム３は支軸８に対して自由に回転可能な状態となる。
【００６２】
そして、モンキーレンチＭのレンチ本体１の窓孔１２に配置したウォーム３を指で支軸６に対して回転させることにより、ラック２がウォーム３の回転に伴いながらレンチ本体１のガイド溝１３に沿って摺動し、可動あご２０がラック２の摺動に伴ってレンチ本体１の固定あご１０に対して離間する方向に移動し、レンチ本体１の固定あご１０とラック２の可動あご２０との間隔を六角ボルトの頭部の互いに平行な二面間の距離である二面幅或いは六角ナットの互いに平行な二面間の距離である二面幅に合わせる。
【００６３】
その後、操作部材５の押圧操作部５０より指を離すと、操作部材５が弾性力により元の形状に戻ると同時に、ストッパ４が弾性力により元の形状に戻り、再びストッパ４の当接部４０の先端がモンキーレンチＭのウォーム３のねじ山３０の頂部に当接し、ストッパ４がモンキーレンチＭのウォーム３の可動あご２０を開く方向への回転を阻止する。
【００６４】
そして、モンキーレンチＭのウォーム３のねじ山３０の頂部には、多数の刻み目が形成されているので、ストッパ４の当接部４０の先端とウォーム３のねじ山３０の頂部の刻み目とが確実に係合され、操作部材５の押圧操作部５０を指で押圧しなければ、ストッパ４とウォーム３との係合が解除されるおそれがない。
【００６５】
また、モンキーレンチＭのレンチ本体１の固定あご１０とラック２の可動あご２０との間隔が狭くなる方向に調節する場合は、ストッパ４の当接部４０の先端がモンキーレンチＭのウォーム３のねじ山３０の頂部に当接されていても、可動あご２０が閉じる方向にウォーム３を回転させることができる。
【００６６】
なお、上述した実施例では、レンチカバーの第１のカバー部材の係合突起と第２のカバー部材の係合孔とを係合させることにより、レンチカバーの第１のカバー部材及び第２のカバー部材の他側が着脱自在に結合されるようにしたが、レンチカバーの第１のカバー部材及び第２のカバー部材に係合突起や係合孔を形成せずに、レンチカバーの第１のカバー部材及び第２のカバー部材の他側をねじにより着脱自在に結合しても良い。
【図面の簡単な説明】
【００６７】
【図１】本発明の実施例に係るモンキーレンチの斜視図。
【図２】本発明の実施例に係るモンキーレンチを斜め下方から見た斜視図。
【図３】図１の要部拡大斜視図。
【図４】図２の要部拡大斜視図。
【図５】本発明の実施例に係るモンキーレンチの構成を示す要部切断平面図。
【図６】図３の要部側断面図。
【図７】レンチカバーの構造を示す斜視図。
【図８】レンチカバーのモンキーレンチへの取付け状態を示す要部平面図。
【図９】レンチカバーのモンキーレンチへの取付け状態を示す要部底面図。
【符号の説明】
【００６８】
１  レンチ本体
２  ラック
３  ウォーム
４  ストッパ
５  操作部材
６  レンチカバー
８  支軸
１０  固定あご
１１  握り柄部
１２  窓孔
１３  ガイド溝
１４  ねじ穴
１５  挿通孔
２０  可動あご
３０  ねじ山
４０  当接部
５０  押圧操作部
５１  係合解除片
６０  第１のカバー部材
６１  係合部
６２  係合突起
６３  カバー部材本体
６４  ストッパ挿入口
６５  補強用凸部
６６ａ，６６ｂ  側壁
６７  傾斜面
６８  ストッパ挿入孔（ストッパ装着部）
７０  第２のカバー部材
７１  係合部
７２  係合片
７３  カバー部材本体
７４  凹部
７５  操作部材挿入口
７６  補強用凸部
７７ａ，７７ｂ  側壁
７８  係合孔
７９  操作部材挿入孔（操作部材装着部）
８０  おねじ部
８１  凹溝
Ｍ  モンキーレンチ
【図１】
2007030046.tif 000003
【図２】
2007030046.tif 000004
【図３】
2007030046.tif 000005
【図４】
2007030046.tif 000006
【図５】
2007030046.tif 000007
【図６】
2007030046.tif 000008
【図７】
2007030046.tif 000009
【図８】
2007030046.tif 000010
【図９】
2007030046.tif 000011